(57)【要約】      （修正有）【課題】子供や大人のように太さの異なる手首や足首に対して、バンド長さの調整が容易で迅速に違和感なく取り付けられるリストバンドを提供する。【解決手段】中央に、患者等の情報を表示する表示部２を有し、この表示部２の一端に、手首などに巻き回すためのバンド部３、他端に、その先端をバンド部３と交差させてリストバンド１を環状に取り付けるためのセット部４が長手方向に延伸して設けられ、バンド部３には、バンド穴５が等間隔で長手方向に形成され、セット部４には、セット穴６が形成されている。セット部４には、帯状の識別表示部８がセット部４の全幅に対して印刷されており、バンド穴５を通して見たときに地色と識別できるようになっている。識別表示部８の長手方向の長さＡは、隣り合うバンド穴５の間隔Ｂと同じ長さに設定されている。【選択図】図１
2008158324.tif 000002
【特許請求の範囲】
【請求項１】
中央を表示部とする帯状基材の長手方向の一端部に複数のバンド穴が所定間隔で形成されるとともに他端部にセット穴が形成され、前記バンド穴と前記セット穴とにリストバンド用クリップを挿通して手首や足首に対し環状に取り付けられるリストバンドであって、
前記他端部には、前記バンド穴から所定距離離間して前記バンド穴との間で手首や足首の周長と比較照合するための基準線が設定され、この基準線から前記セット部方向に、互いに隣り合う前記バンド穴の間隔と同じかまたはそれを超える長さで、前記バンド穴を通して識別可能な識別表示部が設けられていることを特徴とするリストバンド。
【請求項２】
前記セット穴から最遠の前記バンド穴と前記基準線との間隔は、取り付け対象となる手首や足首の最大周長よりも大きくなるように設定されていることを特徴とする請求項１に記載のリストバンド。
【請求項３】
前記セット穴から最近の前記バンド穴と前記基準線との間隔は、取り付け対象となる手首や足首の最小周長よりも小さくなるように設定されていることを特徴とする請求項１または２に記載のリストバンド。
【請求項４】
前記セット穴と前記基準線との間隔は、手足から抜けることなく手首や足首に取り付け可能な手足の最大最小周長差よりも小さくなるように設定されていることを特徴とする請求項１ないし３に記載のリストバンド。
【請求項５】
互いに隣り合う前記バンド穴の間隔は、前記セット穴と前記基準線との間隔よりも小さくなるように設定されていることを特徴とする請求項１ないし４に記載のリストバンド。
【請求項６】
請求項１に記載されたリストバンドの使用方法であって、
前記リストバンドを手首や足首に巻回して前記他端部に前記一端部を最小周長で重ね合わせる重ね合わせ工程と、前記識別表示部が識別表示される前記セット穴から最遠の前記バンド穴を確認する確認工程と、確認された前記バンド穴と前記セット穴とにリストバンド用クリップを挿通して、前記リストバンドを手首や足首に巻き止める係止工程と、を具備したことを特徴とするリストバンドの使用方法。
【発明の詳細な説明】
【技術分野】
【０００１】
本発明は、病院や遊園地などにおいて手首や足首などに環状に巻き止めて情報の表示を行うために使用されるリストバンドに関する。
【背景技術】
【０００２】
近年、病院や遊園地などにおいて、患者情報や施設利用情報などの表示を行うリストバンドが使われている。図７を参照して従来のリストバンド５１を説明すると、リストバンド５１は、帯状基材の長手方向中央に表示部５２、その両側の一端部にバンド穴５３、他端部にセット穴５４が設けられており、例えば病院においては、表示部５２に対して氏名やＩＤナンバーなどの患者などの必要情報がプリンタで印字され、患者の手首や新生児の足首に取り付けられる。投薬時や処置時には、表示部５２の表示内容とカルテの記載内容とが比較照合され、当該患者などの投薬や処置内容に誤りのないことが確認される。係るリストバンド５１は、バンド穴５３とセット穴５４とに専用のクリップを挿通してこれを係止し、手首などに環状に取り付けられるが、取り付けられる手首などの大きさが異なっても柔軟に対応できるように、通常、バンド穴５３は長手方向に複数設けられており、手首などの大きさに応じて適宜バンド穴５３の位置を選択することによって、リストバンド５１の径の大きさが調整可能とされている。すなわち、このバンド穴５３の位置を変えることによって、手首（短周部分）の周長より大きく、かつ手首からはずれないように手のひら部分（長周部分）の周長より小さくなるような周長の範囲内において、きつくもなく緩くもない適切な周長でリストバンド５１の取り付けが可能となっている。
【０００３】
しかしながら、従来は、リストバンドを取り付ける際に作業者の経験や目見当によって長さの調整を行うようにしていたために、特に手首の太さが異なる子供や大人が混在するような状況下で取り付けを行う場合などにおいて、作業者の熟練具合によってばらつきが生じやすく、きつくなったり緩くなったりして使用感に差が生ずるという問題があった。
【０００４】
【特許文献１】特開２００４−２４２９０４号公報
【発明の開示】
【発明が解決しようとする課題】
【０００５】
本発明はかかる問題点に鑑みてなされたものであり、その目的とするところは、子供や大人のように太さの異なる手首や足首に対して、バンド長さの調整が容易で迅速に違和感なく取り付けることのできるリストバンドを提供する点にある。
【課題を解決するための手段】
【０００６】
上記課題を解決するために、本発明のリストバンドは、中央を表示部とする帯状基材の長手方向の一端部に複数のバンド穴が所定間隔で形成されるとともに他端部にセット穴が形成され、前記バンド穴と前記セット穴とにリストバンド用クリップを挿通して手首や足首に対し環状に取り付けられるリストバンドであって、前記他端部には、前記バンド穴から所定距離離間して前記バンド穴との間で手首や足首の周長と比較照合するための基準線が設定され、この基準線から前記セット部方向に、互いに隣り合う前記バンド穴の間隔と同じかまたはそれを超える長さで、前記バンド穴を通して識別可能な識別表示部が設けられていることを特徴とする。
【０００７】
また、前記セット穴から最遠の前記バンド穴と前記基準線との間隔は、取り付け対象となる手首や足首の最大周長よりも大きくなるように設定することができる。
【０００８】
また、前記セット穴から最近の前記バンド穴と前記基準線との間隔は、取り付け対象となる手首や足首の最小周長よりも小さくなるように設定することができる。
【０００９】
また、前記セット穴と前記基準線との間隔は、手足から抜けることなく手首や足首に取り付け可能な手足の最大最小周長差よりも小さくなるように設定することができる。
【００１０】
また、互いに隣り合う前記バンド穴の間隔は、前記セット穴と前記基準線との間隔よりも小さくなるように設定することができる。
【００１１】
本発明のリストバンドの使用方法は、請求項１に記載されたリストバンドの使用方法であって、前記リストバンドを手首や足首に巻回して前記他端部に前記一端部を最小周長で重ね合わせる重ね合わせ工程と、前記識別表示部が識別表示される前記セット穴から最遠の前記バンド穴を確認する確認工程と、確認された前記バンド穴と前記セット穴とにリストバンド用クリップを挿通して、前記リストバンドを手首や足首に巻き止める係止工程と、を具備したことを特徴とする。
【発明の効果】
【００１２】
本発明のリストバンドは、他端部に、バンド穴から所定距離離間してバンド穴との間で手首や足首の周長と比較照合するための基準線が設定され、この基準線からセット部方向に、互いに隣り合うバンド穴の間隔と同じかまたはそれを超える長さで、バンド穴を通して識別可能な識別表示部が設けられているため、手首や足首に巻回して他端部に一端部を重ね合わせることによって、常にいずれかのバンド穴に識別表示部が確認できるようになっており、この識別表示部が確認結果に基づきバンド穴とセット穴を組み合わせることによって、太さの異なる手首や足首に対して一定の適切な余裕をもって取り付け可能となり、取り付け経験の少ない作業者であっても、人体に違和感なく迅速に取り付けることができるという効果を奏す。
【００１３】
また、セット穴から最遠のバンド穴と基準線との間隔は、取り付け対象となる手首や足首の最大周長よりも大きくなるように設定したので、太い手首や足首でも取り付けできるという効果を奏す。
【００１４】
また、セット穴から最近のバンド穴と基準線との間隔は、取り付け対象となる手首や足首の最小周長よりも小さくなるように設定したので、細い手首や足首でも取り付けできるという効果を奏す。
【００１５】
また、セット穴と基準線との間隔は、手足から抜けることなく手首や足首に取り付け可能な手足の最大最小周長差よりも小さくなるように設定したので、使用中に手首や足首から抜けることはないという効果を奏す。
【００１６】
また、互いに隣り合うバンド穴の間隔は、セット穴と基準線との間隔よりも小さくなるように設定したので、使用中に手首や足首から抜けることはないという効果を奏す。
【００１７】
本発明のリストバンドの使用方法は、リストバンドを手首や足首に巻回して他端部に一端部を最小周長で重ね合わせる重ね合わせ工程と、識別表示部が表示されるセット穴から最遠のバンド穴を確認する確認工程と、確認されたバンド穴とセット穴とにリストバンド用クリップを挿通して、リストバンドを手首や足首に巻き止める係止工程と、を具備しているため、太さの異なる手首や足首に対して一定の適切な余裕をもって取り付け可能となり、取り付け経験の少ない作業者であっても、人体に違和感なく迅速に取り付けることができるという効果を奏す。
【発明を実施するための最良の形態】
【００１８】
以下、本発明の実施の形態について図面に基づいて詳細に説明する。
【００１９】
図１は、本発明に係るリストバンドの実施の形態の構成を示す平面図、図２は、本発明に係るリストバンドの実施の形態の適用例を示す平面図である。
【００２０】
本実施の形態のリストバンド１は、図１を参照すると、中央に、患者等の情報を表示する表示部２を有し、この表示部２の一端に、手首などに巻き回すためのバンド部（一端部）３、他端に、その先端をバンド部３と交差させてリストバンド１を環状に取り付けるためのセット部（他端部）４が長手方向に延伸して設けられており、さらにバンド部３には１０個のバンド穴５が等間隔で長手方向に形成され、セット部４には１個のセット穴６が形成されている。この１０個のバンド穴５から適宜選択されるバンド穴５とセット穴６との間隔が、環状に取り付けられるリストバンド１の環の周長となる。バンド穴５の横（図中下方）には、セット穴６側から数えて１から始まる１０までの連番でバンド穴番号７が、バンド穴５の各々に対応して表示されており、セット穴６の横（図中左方）には「セット穴」の表示が印刷されている。
【００２１】
セット部４には、帯状の識別表示部８がセット部４の全幅に対して印刷されており、セット部４の上にバンド部３を重ね合わせてバンド穴５を通して見たときに、リストバンド１の地色と識別できるようになっている。識別表示部８は、その全領域に対してベタ印刷を行うことも可能であるが、地色部分の大きさをバンド穴５よりも小さく設定されていれば、パターン印刷も選定可能である。また、この識別表示部８は、必ずしも全幅で設ける必要はなく、その形状も帯状に限定されるものではないが、バンド穴５からの視認性を確保するために、少なくともセット穴６からバンド穴５を結ぶ中心線を含むように形成されていることが望ましい。
【００２２】
この識別表示部８のバンド穴５側は、バンド穴５との間で手首などの周長と比較照合する際の基準となる基準線９となっている。また、識別表示部８の長手方向の長さ（Ａ）は、隣り合うバンド穴５の間隔（Ｂ）と同じ長さに設定されている。これによって、リストバンド１を手首に巻回してセット部４にバンド部３を重ねたときに、識別表示部８が必ずいずれか一つのバンド穴５に表示されるようになっている。ただし、基準線９の位置が確認可能となっていれば目的が達成されるので、実用上、識別表示部８の長手方向の長さ（Ａ）は、これよりも長く設定することが可能であり、例えば、基準線９からセット部４の端部にかけて全体に識別表示部８を印刷するようにしてもよい。
【００２３】
また、セット穴６から最も遠いバンド穴５と基準線９との間隔（Ｃ）は、取り付け対象として想定される一群の手首などの最大周長よりもさらに大きく、セット穴６から最も近いバンド穴５と基準線９との間隔（Ｄ）は、取り付け対象として想定される一群の手首などの最小周長よりもさらに小さくなるように設定される。例えば、大人から乳幼児までを対象として手首に取り付ける場合、これらの取り付け対象者の中で、手首の周長が最も大きな大人の周長よりも大きく、手首の周長が最も小さな乳幼児の手首の周長よりも小さくなるように設定されている。これによって、リストバンド１を手首に巻回してセット部４にバンド部３を重ねたときに、基準線９と重なるバンド部３の位置は、基準線９から最も近いバンド穴５と最も遠いバンド穴５の間になるようになっている。
【００２４】
さらに、互いに隣り合うバンド穴５の間隔（Ｂ）は、セット穴６から基準線９までの間隔（Ｅ）よりも小さくなるように設定される。このバンド穴５の間隔を細かく設定すれば、セット穴６と組み合わせて係止されるバンド穴５を、後述のようにして選定される最適なバンド穴５から、好みに応じて長周側または短周側に細かくシフトすることが可能となる。
【００２５】
セット穴６から基準線９までの間隔（Ｅ）は、手首などからの余裕となる周長であり、手などから抜けることなく手首などに取り付け可能な最大最小周長差、すなわち手のひらなどの最大周長部分に巻いたときの周長（最大周長）と手首などの最小周長部分に巻いたときの周長（最小周長）との差よりも小さくなるように設定されている。この値は一般的に子供の方が小さいので、取り付け対象者に子供が交じっている場合には、子供の手を前提にして設定される。また、このセット穴６から基準線９までの間隔は、リストバンド１を手首などに取り付けた際のフィット感などに影響するため、上記範囲内において、最もつけ心地がいい間隔に設定される。
【００２６】
本実施の形態のリストバンド１は、プリンタ（図示せず）にセットして表示部２に印字が行えるように、例えば図２に示す如く、シート基材１０に対し、リストバンド１の外形線に沿ってミシン目１２や、一部に切断部を設けない、いわゆる点止め加工によって形成された切取線１１から切り取り可能とすることができる。バンド穴５およびセット穴６は、シート基材１０に打ち抜き加工を施すことによって形成されたものであり、さらに、シート基材１０には、一枚のリストバンド１がシート基材１０と共に他のリストバンド１と分離できる位置に、切り取り用のミシン目１２が形成されており、プリンタで印字後にリストバンド１の必要枚数を切り取って分配する際に便利なように構成されている。また、シート基材１０には、余白に「印字進行方向」と方向を表す矢示が印刷されている。係る構成のシート基材１０は、ロール状に巻回されてプリンタに取り付けられ、例えば、表示部２に対して「二次元コード」、科名「外科」、病棟番号「東０２」、患者名「佐藤太郎」、患者のＩＤ番号「ＩＤ：０６０８０５００３」などが印字される。なお、この印字を目的に応じて所定の内容に変更することにより、リストバンド１は遊園地やイベントの入場券などの幅広い用途に対応することができる。
【００２７】
本実施の形態で使用されるシート基材１０の材質に関しては特に限定されるものではないが、プリンタに取り付けて印字を行う関係上、プリンタの印字に適した基材の中で、人体に取り付けて違和感がなく、かぶれなどの障害が発生しないものが選択される。一般に、医療用途においては、長期使用が想定されるとともに、水やアルコールなどの薬品に対する耐性が要求されることから、例えば合成紙、ＰＥＴ（ポリエチレンテレフタレート）、ＰＥ（ポリエチレン）、ＰＰ（ポリスチレン）、塩化ビニルなどのフイルム系の基材、布、不織布など、およびそれらの複合体などが用いられる。さらに、抗菌剤を塗布したり練り込んだりして、有害細菌の増殖を防止することもできる。また、遊園地やイベントなどにおいては、使用時間も短時間のことが多く、特に耐水性、耐久性が要求されないことも多いため、上記基材に加え、コート紙やアート紙などの紙製の基材、およびそれらの複合体が選択できる。
【００２８】
次に、本実施の形態のリストバンド１を手首に取り付ける方法を説明する。図３は、本発明に係るリストバンド１の実施の形態を手首１３に巻回している状態を示す説明図、図４は、バンド部３とセット部４を重ね合わせて最適なバンド穴５を選定する方法を示す説明図、図５は、バンド穴５とセット穴６に対してリストバンド用クリップ１４を挿入しているところを示す説明図、図６は、バンド部３とセット部４をリストバンド用クリップ１４で係止した状態を示す部分断面図である。
【００２９】
リストバンド１を手首１３に取り付けるためには、まず、リストバンド１を患者等の手首１３に回してセット部４にバンド部３を重ね合わせ（重ね合わせ工程）、手首１３に最もフィットした状態で識別表示部が確認できるバンド穴１５のバンド穴番号７を確認（確認工程）する。本実施の形態においては、識別表示部８の長手方向の長さを、隣り合うバンド穴５の間隔と同じ長さに設定しているので、リストバンド１を手首１３に巻回してセット部４にバンド部３を重ねたときに、必ずいずれかのバンド穴５のみに識別表示部８が表示されるようになっている。なお、基準線９からセット部４の端部にかけて全体に識別表示部８を設けることも可能であるが、その場合には、複数のバンド穴５に識別表示部８が表示されるので、セット穴６から最も遠いバンド穴５（基準線９に最も近いバンド穴５）を選定するようにする。
【００３０】
次に、リストバンド１を若干緩め、上記のようにして確認されたバンド穴番号７に対応するバンド穴５とセット穴６に、リストバンド用クリップ１４を挿入する。さらに、リストバンド用クリップ１４をヒンジ１６から矢印方向に折り曲げて、メスクリップ部１７をオスクリップ部１８に合わせ、係止部１９をメスクリップ部１７に形成された係止穴２０に押し込むことによって、爪部２１の弾性力によってその先端部分が縮幅されて係止穴２０に完全に挿入され、図６に示すごとく係止が行われる（係止工程）。一旦係止穴２０に挿入された係止部１９は、爪部２１の復元力によってその先端部分が拡幅されるので、突起部２２にじゃまされて抜けることがないようになっている。
【００３１】
個人の好みなどによって、さらにきつめに取り付けたいときは、上記のようにして確認されたバンド穴５よりもセット穴６寄りのバンド穴５を選定して、セット穴６と組み合わせてリストバンド用クリップ１４で係止を行うようにする。その反対に、さらに緩めに取り付けたいときは、確認されたバンド穴５よりもセット穴６から離れる側のバンド穴５を選定して、セット穴６と組み合わせてリストバンド用クリップ１４で係止を行うようにする。
【００３２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００３３】
【図１】本発明に係るリストバンドの実施の形態の構成を示す平面図である。
【図２】本発明に係るリストバンドの実施の形態の適用例を示す平面図である。
【図３】本発明に係るリストバンドの実施の形態を手首に取り付ける状態を示す説明図である。
【図４】バンド部とセット部を重ね合わせて最適なバンド穴を選定する方法を示す説明図である。
【図５】バンド穴とセット穴に対してリストバンド用クリップを挿入しているところを示す説明図である。
【図６】バンド穴とセット穴をリストバンド用クリップで係止した状態を示す部分断面図である。
【図７】従来のリストバンドを示す平面図である。
【符号の説明】
【００３４】
１    リストバンド
２    表示部
３    バンド部（一端部）
４    セット部（他端部）
５    バンド穴
６    セット穴
７    バンド穴番号
８    識別表示部
９    基準線
１０  シート基材
１１  切取線
１２  ミシン目
１３  手首
１４  リストバンド用クリップ
１５  識別表示部が確認できるバンド穴
１６  ヒンジ
１７  メスクリップ部
１８  オスクリップ部
１９  係止部
２０  係止穴
２１  爪部
２２  突起部
５１  リストバンド
５２  表示部
５３  バンド穴
５４  セット穴
Ａ    識別表示部の長手方向の長さ
Ｂ    隣り合うバンド穴５の間隔
Ｃ    セット穴から最も遠いバンド穴と基準線との間隔
Ｄ    セット穴から最も近いバンド穴と基準線との間隔
Ｅ    セット穴から基準線までの間隔
【図１】
2008158324.tif 000003
【図２】
2008158324.tif 000004
【図３】
2008158324.tif 000005
【図４】
2008158324.tif 000006
【図５】
2008158324.tif 000007
【図６】
2008158324.tif 000008
【図７】
2008158324.tif 000009